(57)【要約】【課題】伝線しにくさおよび涼しさとを併せ持つ、連結編みの境界が目立たないプレーンライクな経編みストッキングを提供する。【解決手段】このパンティストッキングは、足甲および踵部を被覆するフット部と、脚を被覆するレッグ部と、腹部および臀部を被覆するパンティ部と、ゴム編みで編成されたウエスト部とを備え、ダブルラッシェル編みのフロント側基布とバック側基布との両脇側が連結編みにより一体的にシームレスに形成されている。基布を形成する地編み部分は、編糸２００および挿入糸２１０により編成されたチュール編みにおいて所定の編み目間隔（２イン２アウト）で挿入糸２１０が抜かれた編み目で編成され、連結編みは地編み部分と同じ編み組織であって、挿入糸２１０が抜かれた編目によりフロント側とバック側とが連結されている。【選択図】図８
2015148024.tif 000002
【特許請求の範囲】
【請求項１】
ダブルラッシェル編みのフロント側基布とバック側基布との両脇側がフロント側とバック側とを連結する連結編みにより一体的に形成されたストッキングであって、
前記基布の地編み部分は、チュール編みにおいて所定の編み目間隔で挿入糸が挿入されていない編み組織であって、
前記連結編みは、前記挿入糸が挿入されていない編目により編成されていることを特徴とするストッキング。
【請求項２】
前記ストッキングは、フロント側パンティ部とバック側パンティ部とが、フロント側レッグ部とバック側レッグ部とが、それぞれ連結編みにより連結され、パンティ部とレッグ部とが一体的に形成されたことを特徴とする請求項１に記載のストッキング。
【請求項３】
前記基布の地編み部分は、チュール編みにおいて２イン２アウトで挿入糸が挿入されていない編み組織であることを特徴とする請求項１または請求項２に記載のストッキング。
【発明の詳細な説明】
【技術分野】
【０００１】
本発明は、パンティ部を一体的に備えたパンティストッキングおよびレッグ部のみのストッキング（ショートストッキングを含む）に関し、特に、経編地で形成され伝線しにくく、プレーン（無地）ライクで涼しいストッキングに関する。なお、本発明においては、パンティストッキング、ストッキングおよびショートストッキングを含めてストッキングと記載する。
【背景技術】
【０００２】
近年の生活習慣上、足に装着する下半身用衣類として靴下があり、人が靴を履くときに多くの人々が使用している。このような下半身用衣類の中で、特に、女性の下半身を覆うストッキングやタイツは、外出時における女性の脚部の保護および保温さらには脚線美の向上の観点等から、広く世間に浸透している。
このようなストッキングは、通常、いわゆる丸編み（丸編み機または靴下丸編み機などを用いた丸編み）で製造されている。しかしながら、薄物のストッキングを形成している繊維糸が１本でも切れると、１本の糸で連続して編成された丸編品ではランが走るために（伝線するために）ダメージを受け易いという欠点がある。さらに、丸編み機では、円周状に編み針が並んでいるので、１つの丸編み機でその円周の直径を自由に変えることができず、製造されるストッキングのサイズを自由に変更することが難しく、異なるサイズのストッキングを製造しようとすると、異なる丸編み機を用意しなければならないという問題点があったり、丸編み機では横に並列に複数個のソックスやストッキングを同時に編むことができず生産性が高くないという問題点があったりする。
【０００３】
このような問題点に対して、ダブルラッシェル編みなどの経編品は、繊維糸が少々切れても、簡単にランが走って（伝線して）ダメージを受けることが少ない点で好ましい。このようなダブルラッシェル編みは編み機の大きさにもよるが、通常、市販のダブルラッシェル編み機では、たとえば２０着分のストッキングを横に並列に並べて同時に編むこともできるので、生産性が高い。
【０００４】
このようなダブルラッシェル編みなどの経編品で編成されたストッキングは、原理的には、ダブルラッシェル編みで編成したフロント側の基布とバック側の基布を編みながら、これらの基布の両脇側を同時にフロント側とバック側とを連結する連結編みで連結することにより、一体の筒状の編地になるように編成されている。
特開２００７−０７７５４４号公報（特許文献１）は、このようなダブルラッシェル編みなどの経編品のパンティストッキングであって、足指袋が形成されている指付きパンティストッキングを開示する。この特許文献１に開示されたパンティストッキングは、非弾性糸と弾性糸とが編みこまれているダブルラッシェル編みからなり、爪先部からウェスト履き口用開口部に至る長さを有し、爪先部が二股以上に分かれて指袋が形成されている指付きパンティストッキングであって、パンティストッキングはダブルラッシェル編みでシームレスに一体に形成されており、ダブルラッシェル編みのフロント側基布とバック側基布の両脇側がフロント側とバック側を連結する連結編みで、足甲部と足底部並びに踵部、前側脚部と後側脚部、前側パンティ部と後側パンティ部、前側履き口用開口部と後側履き口用開口部、がそれぞれ連結され、指袋部は、指袋部間の区画部が、上側指袋部のフロント側基布と下側指袋部のバック側基布の脇側がフロント側とバック側を連結する連結編みで連結されており、指袋の先端部は、上側指袋部のフロント側基布と下側指袋部のバック側基布をフロント側とバック側並びに左右側を連結する連結編みでフロント側基布とバック側基布が連結して編まれて形成され、履き口用開口部に編みこまれている弾性糸は、パンティストッキング本体基布の弾性糸の編み組織よりウェール方向の振りが大きくされた編み組織で形成されていることを特徴とする（特許文献１の請求項７）。
【先行技術文献】
【特許文献】
【０００５】
【特許文献１】特開２００７−０７７５４４号公報
【発明の概要】
【発明が解決しようとする課題】
【０００６】
ところで、ストッキングをダブルラッシェル編みなどの経編品により編成すると、上述したように伝線しにくいという特徴およびサイズ変更を含めて生産性が高いという特徴を実現できる。この特許文献１に開示されたパンティストッキングは足指袋を備えることを特徴としているが、このような足指袋を備える備えないに関わらず、ダブルラッシェル編みなどの経編品によりストッキングを編成すると、ダブルラッシェル編みのフロント側基布とバック側基布の両脇側がフロント側とバック側とを連結編みで連結することにより筒状の編地が編成される。そして、この連結編みで連結して編まれた境界は、目視では判別できず、縫合ラインのように目立つことはないとされている（特許文献１の第０００８段落）。
【０００７】
しかしながら、ストッキングの編地の種類、連結編みの編糸および／または編み組織によっては、この連結編みで連結して編まれた境界が目立つ場合がある。たとえば、最近流行しているプレーンライクなストッキングにおいては（編みタイツのような柄があるものに対して特に）、編み組織（たとえばチュール編み）の特性により、および／または、ダブルラッシェル編み機の構造上の特性により、基布の部分と連結編みとで境界が目立つ場合があり得る。このことは、丸編みで編成されたストッキングではそもそも境界がないのに対して大きく異なる点であって、プレーンライクなストッキング等においては商品価値を低下させる場合がある。
【０００８】
さらに、パンティストッキングを夏の暑いシーズンに装着すると、ムレ等が発生し、心地よい装着感が得られないという欠点がある。このような問題点を解決するために基布の部分の編成を工夫して、たとえば網目を大きくして（たとえばチュール編みで編成して）通気性を向上させることが考えられる。しかしながら、特許文献１を含めて、このように基布の網目を大きくしたような経編地であってかつプレーンライクな編地で形成されたストッキングにおいて、連結編みの境界が目視で判別できないような技術開発はなされていないのが現状である。
【０００９】
本発明は、従来技術の上述の問題点に鑑みて開発されたものであり、その目的とするところは、伝線しにくさおよび涼しさとを併せ持つ、連結編みの境界が目立たないプレーンライクなストッキングを提供することである。
【課題を解決するための手段】
【００１０】
上記目的を達成するため、本発明に係るストッキングは以下の技術的手段を講じている。
すなわち、本発明に係るストッキングは、ダブルラッシェル編みのフロント側基布とバック側基布との両脇側がフロント側とバック側とを連結する連結編みにより一体的に形成されたストッキングであって、前記基布の地編み部分は、チュール編みにおいて所定の編み目間隔で挿入糸が挿入されていない編み組織であって、前記連結編みは、前記挿入糸が挿入されていない編目により編成されていることを特徴とする。
【００１１】
ここで、本発明において「チュール編みの編み組織」とは「ループ用の編糸により編成された六角形の編み目に挿入糸が挿入された編み組織（all-inと称する）」であるとする。すなわち、チュール編みはそもそもall-inであるが、本発明は、このチュール編みにおいて挿入糸の一部を抜いて、地編みの編み組織とするとともに（この抜いた部分の編成を変形チュール編みと称する）、フロント側の基布とバック側の基布とを（挿入糸を抜いた）地編みと同じ編み組織である変形チュール編みにより連結したことを特徴する。
【００１２】
好ましくは、前記ストッキングは、フロント側パンティ部とバック側パンティ部とが、フロント側レッグ部とバック側レッグ部とが、それぞれ連結編みにより連結され、パンティ部とレッグ部とが一体的に形成されるように構成することができる。
さらに好ましくは、前記基布の地編み部分は、チュール編みにおいて２イン２アウトで挿入糸が挿入されていない編み組織であるように構成することができる。
【発明の効果】
【００１３】
本発明に係るストッキングによれば、伝線しにくさおよび涼しさとを併せ持つ、連結編
みの境界が目立たないプレーンライクなストッキングを提供することができる。
【図面の簡単な説明】
【００１４】
【図１】本発明の実施の形態に係るパンティストッキングの概略正面図である。
【図２】本発明の実施の形態に係るパンティストッキングの斜視図である。
【図３】図１のＡ部拡大図である。
【図４】本発明の実施の形態に係るパンティストッキングを説明するための編み組織の拡大図である。
【図５】本発明の実施の形態に係るパンティストッキングの編み組織の拡大図である。
【図６】図５の編み組織の組織図である。
【図７】本発明の実施の形態に係るパンティストッキングの連結編みを説明するための斜視図である。
【図８】本発明の実施の形態に係るパンティストッキングの連結編みを説明するための編み組織の拡大図である。
【図９】本発明の他の実施の形態に係るパンティストッキングの編み組織の組織図である。
【発明を実施するための形態】
【００１５】
以下、本発明の実施の形態として、ストッキングの一例であるパンティ部を備えたパンティストッキング１００を、図面に基づき詳しく説明する。なお、本発明は、このようなパンティストッキング１００の他にパンティ部を備えないストッキングおよびショートストッキングにも好適に適用できる。
［パンティストッキングの全体構成］
図１に本実施の形態に係るパンティストッキング１００の概略正面図（着用していない状態）を、図２にこのパンティストッキング１００を着用した状態の斜視図を、図３に図１のＡ部拡大図であって着用した状態において目視により認識できる編み目を示す図を、それぞれ示す。なお、図２（Ａ）は斜め前方からの斜視図であって、図２（Ｂ）は斜め後方からの斜視図である。さらに、図３（Ａ）は編み目の理想的な形状であって、図３（Ｂ）は編み目の現実の形状を示す。
【００１６】
ここで、上述したように本発明においては、「チュール編みの編み組織」を「ループ用の編糸により編成された六角形の編み目に挿入糸が挿入された編み組織（all-in）」であるとして、このチュール編みにおいて挿入糸の一部を抜いて、このパンティストッキング１００の地編みの編み組織（変形チュール編み組織）としているので、図１および図３に示すＡ部もチュール編みと変形チュール編みとを組み合わせた編み組織となる。
【００１７】
これらの図に示すように、このパンティストッキング１００は、足甲および踵部を被覆するフット部１１０と、脚を被覆するレッグ部１２０と、腹部および臀部を被覆するパンティ部１３０と、ゴム編みで編成されたウエスト部１４０とを備える。このパンティストッキング１００は、ダブルラッシェル編みのフロント側基布（図２（Ａ）および図２（Ｂ）に示すフロント側フット部１１０Ｆ、フロント側レッグ部１２０Ｆおよびフロント側パンティ部１３０Ｆ）とバック側基布（図２（Ａ）および図２（Ｂ）に示すバック側フット部１１０Ｂ、バック側レッグ部１２０Ｂおよびバック側パンティ部１３０Ｂ）との両脇側が、フロント側とバック側とを連結する連結編みにより一体的にシームレスに形成されている。ダブルラッシェル編み機により複数（たとえば２０着程度）のパンティストッキング１００が同時に編成される。パンティ部１３０の最下端において股部縫着線１５０により左右のレッグ部１２０が連結されている。
【００１８】
この連結編みによる編成部分である連結編み部１６０を、図２（Ａ）および図２（Ｂ）に想像線で示す。詳しくは後述するように、この連結編み部１６０における連結編みは、チュール編みにおいて挿入糸が挿入されていない（挿入糸を抜いた）編み目により編成されているために、地編み部分がプレーンライクな編地であっても連結編み部１６０を目視で確認することが困難である。目視で確認することが困難であるとは、一般消費者のみならず、このパンティストッキング１００の製造メーカーの関係者およびパンティストッキ
ング１００の販売者等の当業者であっても、地編み部分がプレーンライクな編地であっても目視で確認することが困難であることを示している。
【００１９】
このパンティストッキング１００のフロント側基布およびバック側基布の地編み部分は、詳しくは後述するように、チュール編みにおいて所定の編み目間隔で挿入糸が挿入されていない（挿入糸を抜いた）プレーンライクの編み組織である。ここでは、２つの編み目間隔ごとに２本の挿入糸が挿入されていない（挿入糸を抜いた）２イン２アウトの編み組織である。この地編み部分の拡大図を図３（Ａ）および図３（Ｂ）に示す。これらの図に示すように、地編み部分は、チュール編みにおいて挿入糸が挿入されていない（挿入糸を抜いた）変形チュール編みの部分である六角形の編み目１７０と、挿入糸が挿入されているチュール編みの部分である六角形の編み目１８０とが、パンティストッキング１００の長手方向（脚方向）に並んでいる。図３（Ａ）に示すように理想的にはチュール編みにより六角形の形状の編み目となるが、現実には図３（Ｂ）に示すような変形した編み目１７０が目視にて確認できる。なお、この地編み部分は、プレーンライクな編地となっている。
【００２０】
［パンティストッキングの編地構成］
本実施の形態に係るパンティストッキング１００を構成する編地について説明する。まず、地編み部分の編地編成について説明して、その後、連結編みの編地編成について説明する。
・地編み部分の編成
上述したようにこのパンティストッキング１００の地編み部分は、チュール編み（all-in）において所定の編み目間隔で挿入糸を抜いたプレーンライクの変形チュール編み組織である。このような変形チュール編み（およびチュール編みであっても）は、基布の網目を大きくしたような経編地であって涼しいにもかかわらず、プレーンライクな編地を形成できる点で好ましい。この編み組織を説明するにあたり、図４（Ａ）を参照して挿入糸が挿入されていない編み組織（チュール編みにおいて全ての挿入糸を抜いた編み組織でall-outと称する）について説明し、図４（Ｂ）を参照してチュール編みの編み組織（本発明で定義したチュール編みであってall-inと称する）について説明する。すなわち、図４（Ａ）に示す編み目の全てに挿入糸を挿入した編み組織が、図４（Ｂ）に示すチュール編み（３ステッチチュール）の編み組織となる。なお、パンティストッキング１００において、フロント側の基布とバック側の基布とを（挿入糸を抜いた）地編みと同じ変形チュール編みで連結した点については後述する。
【００２１】
図４（Ａ）に示すように、チュール編み（all-in）から挿入糸を全て抜いたall-outと称する編み組織を構成するループ部分は、六角形の編み目を備えた経編みであって、編糸２００により編成されている。この編糸２００としては、たとえば２０ｄ（デニール）（＝２２．２２ｄｔｅｘ（デシテックス））のウレタン糸を芯糸として、４０ｄ（＝４４．４４ｄｔｅｘ）のウーリーナイロン糸を巻着糸としたカバリング糸（ＳＣＹ：Ｓｉｎｇｌｅ  Ｃｏｖｅｒｅｄ  Ｙａｒｎ）が採用される。このようにチュール編みのループ部分において、六角形を形成する各辺は、２本の編糸（１つのループ）からなる辺２００Ａと１本の編糸からなる辺２００Ｂとで構成されている。このため、編み組織を引っ張ると張力のバランスが崩れやすく六角形の形状が維持されにくい。
【００２２】
図４（Ａ）に示す編み組織において挿入糸２１０が挿入されたチュール編み（ここでいうチュール編みは挿入糸が全て挿入されたall-inと称するもの）の編み組織を図４（Ｂ）に示す。この挿入糸２１０としては、たとえば４０ｄのウーリーポリエステル糸が採用される。図４（Ｂ）に示すように、１本の編糸からなる辺２００Ｂに挿入糸２１０が沿って編まれる。このため、編み組織を引っ張っても挿入糸２１０により六角形の形状が維持されやすく、その結果、地編みの編み目が大きく維持されて涼しく、かつ、プレーンライクな編地であるように見えやすいパンティストッキング１００を実現することができる。
【００２３】
しかしながら、図４（Ｂ）に示すように、地編みをチュール編み（全ての編み目に挿入糸２１０が挿入されたall-inの編み組織）で編成して、連結編み部１６０における連結編みの編成も地編みと同じ編成であるall-inの編み組織にすると、後述するように、境界が
目立つ（タテすじが見える）場合があるという問題がある。なお、図４（Ａ）に示すように、地編みをチュール編みの全ての編み目から挿入糸２１０を全て抜いたall-outの編み組織で編成して、連結編み部１６０における連結編みの編成も地編みと同じ編成であるall-outの編み組織にしても、後述するように、境界が目立つ（タテすじが見える）場合があるという問題がある。
【００２４】
このため、本実施の形態に係るパンティストッキング１００においては、地編み部分の編み組織をチュール編み（all-in）において挿入糸を一定の編み目間隔で抜いた編み組織（変形チュール編み）とするとともに、タテすじを見えにくくするために連結編み部１６０においても地編み部分と同じ編み組織とした（より詳しくは、挿入糸を抜いた変形チュール編みで連結編み部１６０を編成）。以下、これについて説明する。
【００２５】
図５に本実施の形態に係るパンティストッキング１００の地編み部分の編み組織の拡大図を、図６に図５の編み組織の組織図をそれぞれ示す。図５（Ａ）および図６（Ａ）は、チュール編みにおいて１つの編み目ごとに１本の挿入糸が挿入されていない（挿入糸を抜いた）１イン１アウトの編み組織であって、図５（Ｂ）および図６（Ｂ）は、チュール編みにおいて２つの編み目ごとに２本の挿入糸が挿入されていない（挿入糸を抜いた）２イン２アウトの編み組織である。本発明は、地編み部分の編成が、チュール編みにおいて所定の編み目間隔で挿入糸を抜いた編み組織であればよく、パンティストッキングに求められる要求に応じて所定の編み目間隔を適宜選択すれば良い。
【００２６】
このように、パンティストッキングの地編み部分の編成が、チュール編みにおいて所定の編み目間隔で挿入糸を抜いた編み組織とすると、
（１）挿入糸が抜かれていない部分は、六角形の形状が維持されやすく、地編みの編み目が大きく維持されて涼しく、プレーンライクな編地であるように見えやすいパンティストッキングを実現でき、
（２）挿入糸が抜かれた部分は、シンカーループ１本になるので、六角形が大きく伸びやすくなり、地編みの編み目が大きく維持されてさらに涼しいパンティストッキングを実現でき、
（３）挿入糸が抜かれた部分は、編地の厚みが薄くなりさらに涼しいパンティストッキングを実現でき、
（４）挿入糸が抜かれた部分があるので、タテ方向にもヨコ方向にもよく伸縮してサイズ展開を少なくすることができるパンティストッキングを実現できる。
【００２７】
以下においては、本実施の形態に係るパンティストッキング１００の地編み部分の編み組織は、図５（Ｂ）および図６（Ｂ）に示すように、チュール編みにおいて２イン２アウトで挿入糸が抜かれた編み組織であるとする。地編み部分の編み組織をこのような編み組織として、さらに、本実施の形態に係るパンティストッキング１００の連結編み部１６０の編み組織は、地編み部分と同じ挿入糸を抜いた編み組織とした。以下、これについて説明する。
【００２８】
・連結編み部の編成
図７に、本発明の実施の形態に係るパンティストッキング１００の連結編みを説明するための斜視図を、図８に、このパンティストッキング１００の連結編み部１６０を説明するための編み組織の拡大図を示す。なお、図８（Ａ）がこのパンティストッキング１００の連結編み部１６０を含む編み組織（２イン２アウト）を示し、図８（Ｂ）が図４（Ｂ）に示したチュール編み（all-in）で連結編み部を含む全体を編成した、本発明とは異なるパンティストッキングの編み組織を示す。なお、図８に示す編み組織は、図７の白抜き矢印の方向からパンティストッキング１００の肌側を見た図であって、図７に示す矢示の方向が図８に示されている。
【００２９】
図８（Ａ）に示すように、このパンティストッキング１００の連結編み部１６０は、挿入糸２１０が抜かれた編み組織である。すなわち、連結編み部１６０は、編糸２００のみで編成されている。図８（Ａ）に示すように、フロント側とバック側とが連結される連結編み部１６０近傍の拡大部Ｂにおいて、フロント側の最端のループを含む（挿入糸が抜かれた）編み組織とバック側の最端のループを含む（挿入糸が抜かれた）編み組織とは、Ｂ
（１）部分とＢ（２）部分とを含めて全く同じ編み組織となっている（なお、連結編み部１６０近傍以外においても、Ｂ（１）部分とＢ（２）部分とは同じ編み組織）。このため、連結編み部１６０において境界が目立つ（タテすじが見える）場合がなく、パンティストッキング１００の全体を見ても境界が目立つ（タテすじが見える）場合がない。
【００３０】
一方、図８（Ｂ）に示すように、チュール編み（all-in）で連結編み部を編成した場合には、編糸３００および編糸３１０がそれぞれの筬により編成されるときに、ループを形成するように編成されるとともに挿入糸として機能するように編成される。このため、フロント側とバック側とが連結される連結編み部近傍の拡大部Ｃにおいて、Ｃ（１）部分とＣ（２）部分とで同じ編み組織になっていない。このため、連結部において境界が目立つ（タテすじが見える）。
【００３１】
また、図示しないが、チュール編み（all-in）の全ての編み目から全ての挿入糸を抜いた編み組織（all-out）で連結編み部を編成した場合には、挿入糸がないために上述した図８（Ｂ）に示すような編み組織の違いにより連結部において境界が目立つ（タテすじが見える）ことはない。しかしながら、ダブルラッシェル編み機においてフロント側の針の配置間隔およびバック側の針の配置間隔（編み機の横方向）に対してフロント側の針とバック側との配置間隔（編み機の前後方向）を同一寸法にすることは構造上困難であるので、この針の配置間隔の微妙な差異により連結部において境界が目立つ（タテすじが見える）。
【００３２】
このように本実施の形態に係るパンティストッキング１００のように連結編み部１６０を挿入糸なしで編成すると、連結編み部１６０が目視で認識できない程度まで目立たなくすることができる。
以上のようにして、本実施の形態に係るパンティストッキングは、ダブルラッシェル編みのフロント側基布とバック側基布との両脇側がフロント側とバック側とを連結する連結編みにより一体的に形成され、基布の地編み部分は、チュール編みにおいて所定の編み目間隔（１イン１アウト、２イン２アウト等）で挿入糸の一部を抜いて編成し、連結編みは挿入糸が抜かれた編目により編成した。これにより、
（１）挿入糸が抜かれていない部分は、六角形の形状が維持されやすく、地編みの編み目が大きく維持されて涼しく、プレーンライクな編地であるように見えやすいパンティストッキングを実現でき、
（２）挿入糸が抜かれた部分は、シンカーループ１本になるので、六角形が大きく伸びやすくなり、地編みの編み目が大きく維持されてさらに涼しいパンティストッキングを実現でき、
（３）挿入糸が抜かれた部分は、編地の厚みが薄くなりさらに涼しいパンティストッキングを実現でき、
（４）挿入糸が抜かれた部分があるので、タテ方向にもヨコ方向にもよく伸縮してサイズ展開を少なくすることができるパンティストッキングを実現でき、
（５）連結編み部を挿入糸が抜かれた編み組織で編成するので、挿入糸がある場合に地編みの部分と連結編みの部分とで差異が発生することがなくなり、連結編み部が目視で認識できない程度まで目立たなくすることができるパンティストッキングを実現できる。
【００３３】
ここで、このような作用効果を発現する他の編成として採用可能な編み組織の組織図を図９（Ａ）〜図９（Ｃ）に示す。これらの図に示すいずれの編み組織も、チュール編みにおいて所定の編み目間隔（１イン１アウト、２イン２アウト）で挿入糸が抜かれた編み組織である。このような編み組織の中でどの編み組織を採用してパンティストッキングを製造するのかについては、製造するパンティストッキングに求められる要求に応じて、所定の編み目間隔を適宜選択すれば良い。
【００３４】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３５】
本発明は、ストッキングに好適であり、伝線しにくさおよび涼しさとを併せ持つ、連結編みの境界が目立たないプレーンライクなストッキングに特に好適である。
【符号の説明】
【００３６】
１００    パンティストッキング
１１０    フット部
１１０Ｆ  フロント側フット部
１１０Ｂ  バック側フット部
１２０    レッグ部
１２０Ｆ  フロント側レッグ部
１２０Ｂ  バック側レッグ部
１３０    パンティ部
１３０Ｆ  フロント側パンティ部
１３０Ｂ  バック側パンティ部
１４０    ウエスト部
１５０    股部縫着線
１６０    連結編み部（想像線）
２００    編糸
２１０    挿入糸
【図１】
2015148024.tif 000003
【図２】
2015148024.tif 000004
【図３】
2015148024.tif 000005
【図４】
2015148024.tif 000006
【図５】
2015148024.tif 000007
【図６】
2015148024.tif 000008
【図７】
2015148024.tif 000009
【図８】
2015148024.tif 000010
【図９】
2015148024.tif 000011